(57)【特許請求の範囲】
【請求項１】
下ベース（１）と、該下ベース（１）に対して施蓋乃至開放状態となる上カバー（２）と、該下ベース（１）と該上カバー（２）との間において突出状態乃至引き込み状態となる前後一対の引き込みバー（３）（３）と、該上カバー（２）と接続され該上カバー（２）の施蓋乃至開放動作により一方の該引き込みバー（３）を引き込み乃至突出させるリンクアーム（12）と、一方の該引き込みバー（３）と他方の上記引き込みバー（３）とを相反する方向へ動作させる連動機構（13）と、を有することを特徴とするモップ掃除機。
【請求項２】
上記一対の引き込みバー（３）（３）は、上記下ベース（１）に前後方向スライド自在に配設されたスライドアーム（10）（10）に夫々接続され、上記連動機構（13）は、その両スライドアーム（10）（10）に挟まれ鉛直軸心（Ｃ）廻りに回転可能な回転ピニオン（14）と、該スライドアーム（10）（10）に形成され該回転ピニオン（14）に噛合するラック部（15）（15）とにより構成される請求項１記載のモップ掃除機。
【請求項３】
上記一対の引き込みバー（３）（３）は、上記下ベース（１）に前後方向スライド自在に配設されたスライドアーム（10）（10）に夫々接続され、上記連動機構（13）は、両スライドアーム（10）（10）を連結しかつ両スライドアーム（10）（10）の間の鉛直軸心（Ｃ）廻りに揺動可能な連結揺動リンクバー（16）により構成される請求項１記載のモップ掃除機。
【請求項４】
上記スライドアーム（10）は、上記引き込みバー（３）を突出させる方向へ圧縮コイルバネ（11）により弾発付勢され、該圧縮コイルバネ（11）の弾発力により該スライドアーム（10）に枢着させた上記リンクアーム（12）を介して上記上カバー（２）を開放させる請求項１，２又は３記載のモップ掃除機。
【発明の詳細な説明】
【０００１】
【発明の属する技術分野】
本発明はモップ掃除機に関する。
【０００２】
【従来の技術】
織布製雑巾や不織布製等の雑巾を簡単に着脱させ、床等の拭き掃除を行ない得るモップ掃除機がある。このモップ掃除機は、床面に雑巾を載置し、雑巾の上に下ベースと上カバーとを有する掃除機本体部を載せ、上カバーを上面から押し下げることで、掃除機本体部に雑巾を自動的に取り込ませる構成を備えている。
そして、従来知られているモップ掃除機は、下ベースと、下ベースに対して施蓋乃至開放状態となる上カバーと、これらの前方側において上カバーの開放状態で突出状となる外方の引き込みバーと内方の挟み込みバーと、さらに、後方側において上カバーの開放状態で突出状となる外方の引き込みバーと内方の挟み込みバーと、を有する。そして、上カバーの施蓋により、前後両側において、外方の引き込みバーが引き込み動作を開始し、内部のリンク機構により、引き込みバーが床に載置した雑巾を内方の挟み込みバーとの間で挟んでその挟み込みバーと共に引き込み、上カバーと下ベースとの間に雑巾の前後両端縁を引き込み、前後夫々において雑巾を保持している（例えば、特許文献１参照）。
【０００３】
【特許文献１】
特開平８−１４０９１５号公報
【０００４】
【発明が解決しようとする課題】
しかし、従来のモップ掃除機は、前後一対の引き込みバーの他に、前後一対の挟み込みバーを有し、これらを動作させるため、下カバーにスライド自在に配設させるスライド部材は全部で８本必要としている。さらに、上カバーに連結されスライド部材を動作させるリンクアームも４本必要となり、部品点数が多く可動部分が多いため部品の引っ掛かりが生じやすく、前方後方両側を同期動作させるのが困難で、雑巾の引き込み動作がスムーズに行なえないという欠点を有する。さらに、内方の挟み込みバーを設けることで、部品点数が多くかつ前後方向の設置スペース及びスライド動作のストローク部が必要となるため、全体として前後方向寸法が大きいものとなっている。つまり、モップ掃除機の本体は、平面視略正方形となる。しかし、雑巾は一般的に横長の長方形であり、従来のモップ掃除機の前後寸法が雑巾の前後寸法より大きくなってしまうため、対応（取付）できないという重大な欠点を有している。
【０００５】
そこで本発明は、部品点数が少なく形状をコンパクトにし、動作がスムーズに行なえるモップ掃除機を提供することを目的とする。
【０００６】
【課題を解決するための手段】
上述の目的を達成するために、本発明に係るモップ掃除機は、下ベースと、該下ベースに対して施蓋乃至開放状態となる上カバーと、該下ベースと該上カバーとの間において突出状態乃至引き込み状態となる前後一対の引き込みバーと、該上カバーと接続され該上カバーの施蓋乃至開放動作により一方の該引き込みバーを引き込み乃至突出させるリンクアームと、一方の該引き込みバーと他方の上記引き込みバーとを相反する方向へ動作させる連動機構と、を有するものである。
また、上記一対の引き込みバーは、上記下ベースに前後方向スライド自在に配設されたスライドアームに夫々接続され、上記連動機構は、その両スライドアームに挟まれ鉛直軸心廻りに回転可能な回転ピニオンと、該スライドアームに形成され該回転ピニオンに噛合するラック部とにより構成されている。
または、上記一対の引き込みバーは、上記下ベースに前後方向スライド自在に配設されたスライドアームに夫々接続され、上記連動機構は、両スライドアームを連結しかつ両スライドアームの間の鉛直軸心廻りに揺動可能な連結揺動リンクバーにより構成させてもよい。
また、上記スライドアームは、上記引き込みバーを突出させる方向へ圧縮コイルバネにより弾発付勢され、該圧縮コイルバネの弾発力により該スライドアームに枢着させた上記リンクアームを介して上記上カバーを開放させるものである。
【０００７】
【発明の実施の形態】
以下、図示の実施の形態に基づき、本発明を詳説する。
【０００８】
図１と図２は、本発明に係るモップ掃除機の実施の一形態を示す断面側面図であり、図１は上カバー２が開いた状態（開放状態）を示し、図２は上カバー２が閉じた状態（施蓋状態）を示す。
本発明に係るモップ掃除機は、織布製雑巾や不織布製等の雑巾を簡単に着脱させ、床掃除等を行ない得るものであり、その全体構成は、上カバー２と下ベース１とを有する掃除機本体部17と、下端部が掃除機本体部17に取着され上端部側に作業者が把持するグリップ部（図示省略）を有する柄部18と、を備える。
このモップ掃除機は、床面に雑巾４を載置し、雑巾４の上に掃除機本体部17を載せ、上カバー２を上面から押し下げる───開放状態から施蓋状態とする───ことにより、掃除機本体部17に雑巾４を自動的に（ワンタッチで）取り付ける構成を備えている。
【０００９】
具体的に説明すると、モップ掃除機は、下ベース１と、下ベース１に対して施蓋乃至開放状態となる上カバー２と、下ベース１と上カバー２との間において突出状態乃至引き込み状態となる前後一対の引き込みバー３，３と、を備える。
また、図示説明するモップ掃除機では、下ベース１の前後両縁部に立設されて引き込みバー３，３との共働きにより雑巾４を挟持する挟持突片群５，５を備える。なお、本発明において、前後方向を、平面視長方形である掃除機本体部17の短辺方向とし、左右方向を長辺方向とする。つまり、掃除機本体部17は、左右方向寸法が前後方向寸法より長い横長形状であるといえる。
【００１０】
図３は、上カバー２を外した状態のモップ掃除機の平面図であり、また、図４は、上カバー２を外した状態のモップ掃除機の他の実施の形態を示す平面図である。なお、図３と図４において、左半分は開放状態を示し、右半分は施蓋状態を示す。
そして、このモップ掃除機は、上カバー２と接続され上カバー２の施蓋乃至開放動作により一方の引き込みバー３を引き込み乃至突出させるリンクアーム12と、その一方の引き込みバー３と他方の引き込みバー３とを相反する方向へ動作させる連動機構13と、を備えている。つまり、一方（例えば前方）の引き込みバー３と他方（後方）の引き込みバー３とが夫々前後方向反対方向に向かって同時に動作することとなる。さらに言うと、連動機構13は、リンクアーム12により一方の引き込みバー３を突出動作させれば他方の引き込みバー３も突出動作させ、また、リンクアーム12により一方の引き込みバー３を引き込み動作させれば他方の引き込みバー３も引き込み動作させるものである。なお、連動機構13の具体的構成は、後に説明する。
【００１１】
まず、下ベース１について説明すると、下ベース１は、平面状の下面と、部品取付部及び後述する挟持突片群５，５を形成する上面とからなる平面視長方形の平盤部材である。なお、図示省略するが、下面には、ウレタンシート等の摩擦部材を配設したり、下面形状を小凹凸波形状にしてもよい。
そして、図１と図２に示すように、下ベース１の前後方向一方部（前方寄り部）に上カバー用取付部19を立設し、図３又は図４に示すように、下ベース１の前後方向他方部（後方寄り部）に上カバー２と係止して施蓋状態乃至開放状態に切り換えさせる係止手段24を配設している。
【００１２】
図１と図２のように、上カバー２は、上壁部20と左右方向の側壁部21，21とを有する蓋部材であり、前後方向一方側部（前方部）において、下ベース１の取付部19に枢着されており、上カバー２は下ベース１に対して揺動して開閉することができる。
上カバー２は、後述するが前後方向を軸心方向とする圧縮コイルバネ11（図３又は図４）によりリンクアーム12を介して開放状態となる方向へ弾発付勢されており、上カバー２の下面には係止手段24に係止される引っ掛かり部（図示省略）が形成されている。そして、開放状態から上カバー２を一度押し込むと、係止手段24により上カバー２は施蓋状態に保持され、その状態から再度上カバー２を押し込むと係止手段24により開放され、弾発力により上カバー２が開放状態となる。また、図１と図２では、上カバー２の中央部に貫通状窓部が形成され、下ベース１に取り付けた柄部18を（施蓋状態ではその取付部35を）貫通させている。
【００１３】
そして、前後一対の引き込みバー３，３は、上カバー２の開放状態で下ベース１と上カバー２との間から突出状となり、かつ、上カバー２の施蓋により下ベース１と上カバー２との間に引き込まれるものである。
また、挟持突片群５は、下ベース１の前後両縁部に立設され、引き込みバー３の引き込み動作により引き込まれる雑巾４を、引き込みバー３との共働きにより挟持するものであり、挟持突片群５は、後に説明するが、複数の挟持突片（リブ部材）からなり、左右方向に列設されている。
【００１４】
引き込みバー３は、前・後とも同じ形状であり、掃除機本体部17の左右方向寸法（幅寸法）と略同じ長さ寸法の引き込み部22と、引き込み部22から突出状となって延伸する左右両側のアーム部23，23と、を有する。
図５と図６は、引き込みバー３の動作を説明する要部側面図であり、図５は雑巾４の引き込み前、図６は雑巾４を引き込んだ状態である。
引き込みバー３の引き込み部22は断面（側面視）Ｌ字型であり、略鉛直壁状となる引込片部25の下端面に下方突出する引込爪26を複数形成し、引込片部25の下端部に雑巾４の引き込み方向に突出する突起爪８を複数形成している。
【００１５】
また、前後夫々において、引き込みバー３は、左右夫々のアーム部23，23が下ベース１に前後方向スライド自在に配設されたスライドアーム10，10の先端部と連結され、スライドアーム10の動作により、引き込みバー３は、下ベース１と上カバー２との間において突出状態乃至引き込み状態となる。
また、図３又は図４に示すように、スライドアーム10の後端部には、圧縮コイルバネ11が配設され、スライドアーム10は引き込みバー３を突出させる方向へ圧縮コイルバネ11により弾発付勢されている。
【００１６】
具体的に説明すると、前方の引き込みバーを３ａとし、後方の引き込みバーを３ｂとすると、前方の引き込みバー３ａは２本の第一・第二アーム部23ａ，23ｂを有し、後方の引き込みバー３ｂは２本の第三・第四アーム部23ｃ，23ｄを有する。そして、第一アーム部23ａに第一スライドアーム10ａが連結され、第二アーム部23ｂに第二スライドアーム10ｂが連結され、また、第三アーム部23ｃに第三スライドアーム10ｃが連結され、第四アーム部23ｄに第四スライドアーム10ｄが連結される。
【００１７】
そして、前方用の第一スライドアーム10ａと後方用の第三スライドアーム10ｃとが下ベース１の左半分部に近接状態で平行に配設され、また、前方用の第二スライドアーム10ｂと後方用の第四スライドアーム10ｄとが下ベース１の右半分部に近接状態で平行に配設され、左半分部においては前方用の第一スライドアーム10ａが外方側、右半分部においては後方用の第四スライドアーム10ｄが外方側となる。つまり、これらは、前方用と後方用とが左右方向一方側から他方側へ向かって、交互に配設され、前方・後方両者共の引き込みバー３，３が偏ることなく同期動作しやすくしている。
【００１８】
また、これらスライドアーム10…のうちの２本のスライドアーム10，10（左右方向両側の第一・第四スライドアーム10ａ，10ｄ）には、リンクアーム12の一端部（下端部）が揺動可能に枢着され（第一枢着点27）、リンクアーム12の他端部（上端部）は上カバー２と枢着されている（第二枢着点28）。
全てのスライドアーム10…は、図８に示すように、カバー部材36により被覆されスライド自在にガイドされ、図１と図２と図８に示すように、スライドアーム10とリンクアーム12との枢着軸38は、カバー部材36の長孔37を往復移動できる。
【００１９】
そして、スライドアーム10が上記圧縮コイルバネ11の弾発力により引き込みバー３を突出させた状態で、上カバー２は開放状態となる（図１）。またこの状態から、上カバー２を押し下げて下ベース１に対して施蓋状態とすると、リンクアーム12が第一枢着点27、第二枢着点28において揺動すると共に、第一枢着点27側である枢着軸38が直線移動し、スライドアーム10が圧縮コイルバネ11を圧縮させ、引き込みバー３を引き込ませる。そして、圧縮コイルバネ11の弾発力により、スライドアーム10に枢着させたリンクアーム12を介して上カバー２を開放させ、スライドアーム10は引き込みバー３を突出させる。
【００２０】
また、引き込みバー３のアーム部23は、引き込みバー３の突出状態でねじりコイルバネ等の弾発部材39（図１）により、引き込みバー３が雑巾４を押圧する方向に付勢されて、スライドアーム10に揺動可能に枢着（第三枢着点30）されている。これにより、引き込みバー３が、床面等に載置された雑巾４を、弾発部材39の弾発力により確実に引き込むことができる。
【００２１】
次に、連動機構13について図３により説明すると、連動機構13は、近接させた両スライドアーム10，10に挟まれ鉛直軸心Ｃ廻りに回転可能な回転ピニオン14と、両スライドアーム10，10に形成され回転ピニオン14に噛合するラック部15，15とにより構成されている。なお、この連動機構13は、掃除機本体部17の左右両側部に夫々配設され、同様の動作が行なわれる。
【００２２】
まず、図３の左側部について説明すると、上カバー２に上部が枢着されたリンクアーム12ａの下部は、第一スライドアーム10ａに揺動可能に枢着されている。従って、上カバー２の施蓋動作により、リンクアーム12ａが倒れ、第一スライドアーム10ａは内方（収納方向）へスライドする。これにより前方の引き込みバー３ａは引き込み動作が行なわれる。この第一スライドアーム10ａのスライド動作により、回転ピニオン14は矢印ａ方向へ回転し、第三スライドアーム10ｃも内方（収納方向）へスライド動作し、後方の引き込みバー３ｂを引き込み動作させる。
【００２３】
また、図３の右側部においては、上カバー２に上部が枢着されたリンクアーム12ｂの下部は、第四スライドアーム10ｄに揺動可能に枢着されている。従って、上カバー２の施蓋動作により、リンクアーム12ｂが倒れ、第四スライドアーム10ｄは内方（収納方向）へスライドする。これにより後方の引き込みバー３ｂは引き込み動作が行なわれる。なお、左側部において連動機構13により後方の引き込みバー３ｂは引き込み動作が行なわれるため、左側部におけるリンクアーム12ｂとの同期動作により、後方の引き込みバー３ｂは平行姿勢を保ってスムーズに引き込み動作が行なわれる。そして、この第四スライドアーム10ａのスライド動作により、回転ピニオン14は回転し、第二スライドアーム10ｂも内方（収納方向）へスライド動作し、上記右側部におけるリンクアーム12ａとの同期動作により前方の引き込みバー３ａの引き込み動作を補助し、前方の引き込みバー３ａは平行姿勢を保ってスムーズに引き込み動作が行なわれる。
そして、引き込み動作と反対方向の突出動作は、これらの逆の動作により行なわれる。
【００２４】
また、図４は、連動機構13の他の実施の形態であり、この連動機構13は、近接する平行な両スライドアーム10，10を連結しかつ両スライドアーム10，10の間の鉛直軸心Ｃ廻りに揺動可能な連結揺動リンクバー16により構成されている。
この連動機構13においても、前方・後方の引き込みバー３ａ，３ｂを、図３の連動機構13による動作と同様の動作を行なわせる。つまり、上カバー２に連結させたリンクアーム12の転倒又は起伏により、そのリンクアーム12が接続されるスライドアーム10のスライド動作により、連結揺動リンクバー16を回転させて隣の（他方の）スライドアーム10をスライド動作させている。
【００２５】
次に、下ベース１に設けた挟持突片群５について説明すると、挟持突片群５は、図３〜図６に示すように、雑巾４を引き込む引き込みバー３を下ベース１上面に引き上げる複数の円弧状挟持突片６と、引き込みバー３が有する引き込み方向に突出する突起爪８を噛み込ませる複数の凹凸状受け用挟持突片７と、を有する。
円弧状挟持突片６は、引き込みバー３の引き込み部22内側に形成した三角形状のリブ29に対応する位置に配設され、引き込みバー３の引き込み動作により、リブ29が円弧状挟持突片６に当接しそしてスライドして乗り上がることで、引き込みバー３全体を下ベース１の上面へ載置状とさせると共に、引き込んだ雑巾４を引き込みバー３の引込片部25との間にて挟持する。なお、この状態において、引き込みバー３の下方突出状の引込爪26が下ベース１の上面に雑巾４を挟んで載置状となり、かつ、引込爪26が雑巾４に噛み込んた状態となる。
【００２６】
また、挟持突片群５のうち凹凸状受け用挟持突片７は、引き込みバー３の引き込み部22に形成した突起爪８に対応する位置に配設され、突起爪８が雑巾４を突き刺してその突起爪８が引っ掛かるよう、雑巾挟み面を凹凸山形に形成したものである。
また、挟持突片群５の他の実施の形態としては、図示省略するが、複数の円弧状挟持突片６の円弧面に突起爪８が引っ掛かる凹凸状受け用の凹凸山形を形成したものとしてもよい。
【００２７】
さらに、引き込みバー３は、弾発付勢して突起爪８を受け用挟持突片７に噛み込ませる弾発構造９を有するようしてもよい。
この弾発構造９について具体的に説明すると、図７に示すように、引き込みバー３の引き込み部22のうち、鉛直壁状となる引込片部25を揺動可能に枢着し、ねじりコイルバネ等の弾発部材31により、引込片部25を雑巾４の挟み方向へ弾発付勢させてもよい。つまり、引込片部25（突起爪８）を挟持突片群（受け用挟持突片７）へ押圧する方向（矢印Ｍ方向）へ弾発力を作用させ、雑巾４を強固に挟んで保持している。
【００２８】
また、弾発構造９の他の形態としては、引き込みバー３の引き込み状態において（施蓋状態において）、引込片部25が外方へ弾性変形した状態となるよう、引き込みバー３を下ベース１と上カバー２との間に引き込ませてもよい。つまり、図６に示すように、引き込み状態で弾性変形した引込片部25自体が、その復元力により矢印Ｍの方向へ雑巾４を受け用挟持突片７へ押さえつけるよう構成させてもよい。
【００２９】
また、図１と図２においては、柄部18の下端部が掃除機本体部17の上部側と連結されているが、図９の正面図に示すように、柄部18の下端部を、掃除機本体部17の中間高さ位置以下の高さ位置にて掃除機本体部17に取り付けるのが好ましい。具体的には、下ベース１の前後方向中間位置であって左右方向両側部に取付板32，32を設け、取付板32，32に正面視偏平略門型（略コ字状）のアーム33を枢着させ、アーム33の中間部において作業者が握るグリップ部へと延伸するシャフト状の柄部本体34を連結させている。
【００３０】
これによれば、掃除機本体部17を柄部18を介して前後方向へ押したり引いたり操作すると、掃除機本体部17の重心位置乃至それより低い位置でかつ前後方向中心部にその操作力が作用するため、（特に濡れた雑巾で）床面と雑巾４との間の摩擦抵抗が大きくても、スムーズに掃除機本体部17を床面に対して移動させることができる。つまり、高い位置にて操作力が作用すると、掃除機本体部17が床面側を支点として転倒しやすくなるが、これを解消できる。
【００３１】
【発明の効果】
本発明は上述の構成により次のような効果を奏する。
【００３２】
（請求項１によれば）部品点数を低減させコンパクト化が図れる。特に前後方向寸法を小さし、一般的形状である横長の雑巾４の形状に対応させたモップ掃除機とできる。可動部分が少ないため構成部品同士の引っ掛かりが少なく、雑巾４の引き込み動作がスムーズに行なえ、前後一対の引き込みバー３，３を同時に動作させることができる。
【００３３】
（請求項２又は３によれば）簡単な構成により前後一対の引き込みバー３，３を同時に動作させることができ、動きをスムーズにすることができる。
（請求項４によれば）下ベース１と上カバー２とを直接連結する鉛直方向の弾発部材を省略し、部品点数を低減させることができる。上カバー２の開放状態で引き込みバー３，３を前後突出状とさせることができ、確実に雑巾４を掴ませ、引き込ませることができる。
【図面の簡単な説明】
【図１】本発明のモップ掃除機の実施の一形態を示す断面側面図である。
【図２】施蓋状態にあるモップ掃除機の断面側面図である。
【図３】上カバーを外した状態のモップ掃除機の平面図である。
【図４】上カバーを外した状態のモップ掃除機の他の実施の形態を示す平面図である。
【図５】引き込みバーの動作を説明する要部側面図である。
【図６】雑巾を引き込んだ状態にある引き込みバーの要部側面図である。
【図７】引き込みバーの他の実施の形態を示す要部側面図である。
【図８】モップ掃除機の要部を示す断面正面図である。
【図９】モップ掃除機の正面図である。
【符号の説明】
１  下ベース
２  上カバー
３  引き込みバー
10  スライドアーム
11  圧縮コイルバネ
12  リンクアーム
13  連動機構
14  回転ピニオン
15  ラック部
16  連結揺動リンクバー
Ｃ  鉛直軸心
【図１】
0003717903.tif 000002
【図２】
0003717903.tif 000003
【図３】
0003717903.tif 000004
【図４】
0003717903.tif 000005
【図５】
0003717903.tif 000006
【図６】
0003717903.tif 000007
【図７】
0003717903.tif 000008
【図８】
0003717903.tif 000009
【図９】
0003717903.tif 000010